(57)【要約】【課題】共通露光期間内に予備発光できない場合でも精度よく調光することができる。【解決手段】カメラ１００は、マスタ閃光装置を介して接続されたリモート閃光装置を撮影前に予備発光させて、撮影時にリモート閃光装置を本発光させる。カメラ１００は、撮像素子１０２と、制御部１０５とを備える。撮像素子１０２は、被写体からの光を受光した複数の画素から蓄積電荷がローリングシャッタ方式で読み出されて、フレームごとにアナログ電気信号を出力する。制御部１０５は、リモート閃光装置が予備発光した光が被写体により反射された反射光により蓄積された電荷が読み出される１または複数のフレームに撮像素子１０２が出力したアナログ電気信号に基づくデジタル信号に基づいて、リモート閃光装置を本発光させるときの発光量を算出する。【選択図】図２
2014059457.tif 000002
【特許請求の範囲】
【請求項１】
画像の撮影前に閃光装置を予備発光させて、撮影時に前記閃光装置を本発光させる撮像装置であって、
被写体からの光を受光した複数の画素から蓄積電荷をローリングシャッタ方式で読み出して、フレームごとに測光信号を出力する測光手段と、
前記閃光装置の予備発光した光が前記被写体により反射された反射光により蓄積された電荷が読み出される複数のフレームに前記測光手段が出力した前記測光信号に基づいて、前記閃光装置を本発光させるときの発光量を算出する発光量算出手段と、を備えることを特徴とする撮像装置。
【請求項２】
請求項１に記載の撮像装置において、
前記発光量算出手段は、前記閃光装置が予備発光した期間を含む二つのフレームに前記測光手段が出力した二つの前記測光信号の差の絶対値に基づいて、前記閃光装置を本発光させるときの発光量を算出することを特徴とする撮像装置。
【請求項３】
請求項２に記載の撮像装置において、
前記閃光装置に対して予備発光を指示する指示手段を更に備え、
前記発光量算出手段は、前記指示手段が前記閃光装置に対して予備発光を指示した期間を含む第１フレームの前後の複数フレームに前記測光手段がそれぞれ出力した複数の前記測光信号の中から、第１の測光信号と第２の測光信号とを選択して、前記第１の測光信号と前記第２の測光信号との差の絶対値に基づいて、前記閃光装置を本発光させるときの発光量を算出し、
前記第１の測光信号は、前記複数の測光信号のうち、前記測光信号に含まれる全画素に関する輝度情報の総和が最大となる前記測光信号であって、
前記第２の測光信号は、前記第１のフレームの直前または直後の前記測光信号であることを特徴とする撮像装置。
【請求項４】
請求項１に記載の撮像装置において、
前記発光量算出手段は、前記閃光装置が予備発光した期間を含む複数のフレームにおいて前記測光手段がそれぞれ読み出した複数の前記測光信号の平均値に基づいて、前記閃光装置を本発光させるときの発光量を、算出することを特徴とする撮像装置。
【発明の詳細な説明】
【技術分野】
【０００１】
本発明は撮像装置に関する。
【背景技術】
【０００２】
ローリングシャッタ方式により信号読出しが行われる撮像素子を備える撮像装置において、閃光装置（ストロボ、スピードライト、フラッシュ）の調光を行う場合、調光に用いる撮像素子の全ラインが露光している期間（以降、共通露光期間と称する）に閃光装置を予備発光（プリ発光、モニタ発光）させることが好ましい。しかし、共通露光期間は、閃光装置が予備発光する時間と比べて余裕が少ない。特許文献１では、閃光装置の発光時間に合わせて撮像素子の各ラインの露光時間を長くすることで共通露光期間を確保している。
【先行技術文献】
【特許文献】
【０００３】
【特許文献１】特開２００９−１２４２６０号公報
【発明の概要】
【発明が解決しようとする課題】
【０００４】
しかし、各ラインの露光時間が長くなると予備発光の反射光以外の外光の露光量が増え、調光精度が落ちるという問題がある。
【課題を解決するための手段】
【０００５】
本発明による撮像装置は、画像の撮影前に閃光装置を予備発光させて、撮影時に閃光装置を本発光させる撮像装置であって、被写体からの光を受光した複数の画素から蓄積電荷をローリングシャッタ方式で読み出して、フレームごとに測光信号を出力する測光手段と、閃光装置の予備発光した光が被写体により反射された反射光により蓄積された電荷が読み出される複数のフレームに測光手段が出力した測光信号に基づいて、閃光装置を本発光させるときの発光量を算出する発光量算出手段と、を備えることを特徴とする。
【発明の効果】
【０００６】
本発明によれば、共通露光期間内に予備発光できない場合でも精度よく調光することができる。
【図面の簡単な説明】
【０００７】
【図１】本発明の一実施の形態による撮像装置を備える撮像システムのブロック構成図である。
【図２】本発明の一実施の形態による撮像装置のブロック構成図である。
【図３】マスタ閃光装置とリモート閃光装置のブロック構成図である。
【図４】ローリングシャッタ方式による撮像素子からの信号読出しと予備発光のタイミングとの関係について説明するためのタイミングチャートの一例である。
【図５】図４の期間Ｔ２に予備発光した場合に撮像素子の各ラインが露光した光を示す図である。
【図６】本発光時のリモート閃光装置の発光量を算出する調光処理に関するフローチャートである。
【図７】本発明の一変形例における調光処理に関するシーケンス図である。
【発明を実施するための形態】
【０００８】
図１は、本発明の一実施の形態における撮像装置を備える撮像システムのブロック構成図である。撮像システム１０は、本発明の一実施の形態における撮像装置であるカメラ１００を備え、マスタ閃光装置２００ｍと、少なくとも１台のリモート閃光装置２００ｒとをさらに備えている。なお、図１には、撮像システム１０がリモート閃光装置２００ｒを１台備えている状況が図示されている。
【０００９】
マスタ閃光装置２００ｍは、カメラ１００に装着され、カメラ１００からの発光指令に基づいて発光部から閃光を発光して被写体を照明する。また、マスタ閃光装置２００ｍは、その発光部から通信用の閃光を発光して、リモート閃光装置２００ｒへカメラ１００からの発光指令を伝達する。リモート閃光装置２００ｒは、カメラ１００から離間した位置において、マスタ閃光装置２００ｍから伝達された発光指令に基づいて閃光を発光して被写体を照明する。
【００１０】
図２は、カメラ１００のブロック構成図である。カメラ１００は、レンズ１０１と、撮像素子１０２と、画像処理回路１０３と、記録媒体１０４と、制御部１０５と、記憶部１０６と、操作部材１０７と、表示部１０８と、閃光装置接続部１０９とを備えている。
【００１１】
レンズ１０１は、複数の光学レンズ群から構成される撮影光学系である。図２では複数の光学レンズ群を代表して１枚のレンズで表している。なお、本実施の形態では、レンズ１０１はカメラ１００に搭載されている例について説明するが、レンズ１０１がカメラ１００に着脱可能な構成であってもよい。
【００１２】
撮像素子１０２は、ローリングシャッタ方式により信号読出しが行われる撮像素子であって、例えばＣＭＯＳイメージセンサである。撮像素子１０２は、その受光面に複数の画素が配置されている。レンズ１０１を通過した被写体からの光束は、撮像素子１０２に導かれる。撮像素子１０２の各画素には、受光した光束の明るさに応じて電荷が蓄積される。各画素に蓄積された電荷は、撮像素子１０２のラインごとに順次読み出されて、アナログ電気信号として画像処理回路１０３へ出力される。
【００１３】
画像処理回路１０３は、撮像素子１０２から入力されるアナログ電気信号をデジタル信号に変換（Ａ／Ｄ変換）する。また、画像処理回路１０３は、Ａ／Ｄ変換後のデジタル信号に対して、種々の画像処理を施す。例えば、画像処理回路１０３は、画像処理後のデジタル信号を所定の画像形式に圧縮して画像ファイルを生成する。画像ファイルは、メモリカードなどの記録媒体１０４に記録される。
【００１４】
制御部１０５は、ＣＰＵ、ＲＡＭ（いずれも不図示）などを備え、記憶部１０６に記憶されたプログラムをＲＡＭ（不図示）上で実行することにより、カメラ１００が備える各要素を制御する。操作部材１０７は、使用者によって操作される種々のスイッチやボタンを含んでいる。例えば、操作部材１０７には、電源スイッチ、レリーズスイッチなどが含まれる。表示部１０８は、例えばカメラ１００の背面に搭載された液晶モニタであって、画像ファイルの再生画像やカメラ１００を設定するためのメニュー画面等を表示する。
【００１５】
閃光装置接続部１０９は、マスタ閃光装置２００ｍを接続するための接続部であって、例えばホットシューが用いられる。制御部１０５は、例えば閃光装置接続部１０９を介して発光指令を送信する。
【００１６】
図３（ａ）は、マスタ閃光装置２００ｍのブロック構成図である。また、図３（ｂ）は、リモート閃光装置２００ｒのブロック構成図である。マスタ閃光装置２００ｍとリモート閃光装置２００ｒとは、その構成がほぼ同一であるため同一の要素については、付与する符号の数字部分を一致させている。そして、各要素に付与する符号の末尾にマスタ閃光装置２００ｍにおいては「ｍ」を、リモート閃光装置２００ｒにおいては「ｒ」を付加することによって両者を区別する。本実施の形態では、マスタ閃光装置２００ｍの構成を代表して説明する。
【００１７】
マスタ閃光装置２００ｍは、カメラ接続部２０１ｍと、制御部２０２ｍと、記憶部２０３ｍと、発光制御回路２０４ｍと、発光部２０５ｍとを備えている。マスタ閃光装置２００ｍのカメラ接続部２０１ｍは、カメラ１００の閃光装置接続部１０９に接続される。カメラ１００とマスタ閃光装置２００ｍとは、それぞれの接続部が備える接点、例えばホットシューの種々の端子のいずれか一つまたは複数を介して信号の送受信を行う。
【００１８】
制御部２０２ｍは、マスタ閃光装置２００ｍが備える各要素を制御することでマスタ閃光装置２００ｍ全体を制御する。記憶部２０３ｍには、制御部２０２ｍで実行される種々のプログラムが記憶されている。発光制御回路２０４ｍは、制御部２０２ｍの制御のもと発光部２０５ｍを発光させる。発光部２０５ｍから発光させる光は、被写体を照明することに用いられると共に、リモート閃光装置２００ｒに向けて光通信用の光信号を送信することにも用いられる。例えば、マスタ閃光装置２００ｍは、リモート閃光装置２００ｒに向けてカメラ１００から受信した発光指令を光信号に変換して送信する。
【００１９】
図３（ｂ）のリモート閃光装置２００ｒは、制御部２０２ｒと、記憶部２０３ｒと、発光制御回路２０４ｒと、発光部２０５ｒと、光通信部２０６ｒとを備える。光通信部２０６ｒは、マスタ閃光装置２００ｍの発光部２０５ｍから発光される光信号を受信する。例えば、リモート閃光装置２００ｒは、マスタ閃光装置２００ｍが光信号として送信した発光指令を受信する。
【００２０】
撮像システム１０が行う発光制御について説明する。撮像システム１０では、撮影時の発光（本発光）に先立って本発光時に比べて低光量で発光する予備発光を行う。以降の説明では、予備発光、本発光共にリモート閃光装置２００ｒのみを発光させるものとする。制御部１０５は、予備発光後のタイミングに撮像素子１０２から出力されるアナログ電気信号に基づいて、本発光時のリモート閃光装置２００ｒの発光量を決定する。
【００２１】
図４のタイミングチャートを用いて、ローリングシャッタ方式による撮像素子１０２からの信号読出しと予備発光のタイミングの関係について説明する。図４のタイミングチャートにおいて、一番上は時刻ｔが矢印で図示されており、その下のタイミングチャート４００には撮像素子１０２の各ラインの動作タイミングが図示されている。なお、図４では、説明の簡略化のために撮像素子１０２のライン数が１０ラインとなっているが、撮像素子１０２のライン数は１０ラインに限定されない。
【００２２】
タイミングチャート４００において、斜線によるハッチングが行われているタイミング４０１は、撮像素子１０２のライン上の各画素から電荷が読み出されているタイミング（読み出しタイミング４０１と称する）を表す。ハッチングが行われていないタイミング４０２は、ライン上の各画素が露光しており電荷を蓄積しているタイミングを表す。すなわち、ハッチングが行われていない各部位の長さが露光時間を表す。
【００２３】
撮像素子１０２の各画素に蓄積された電荷は、ローリングシャッタ方式により、各フレームごとに第１ラインから最終ライン（第１０ライン）までラインごとに順次読み出される。図４において、最終ラインの蓄積電荷の読み出しが終了した後、次フレームの第１ラインの蓄積電荷の読み出しが開始されるまでの期間Ｔ１は、撮像素子１０２の全ラインが露光している共通露光期間である。
【００２４】
本発光時の発光量を精度よく算出するためには、共通露光期間Ｔ１内に予備発光を行うことが望ましい。しかし、撮像システム１０のように、リモート閃光装置２００ｒに対して、光信号により発光指令を行う場合、リモート閃光装置２００ｒを発光させるタイミングを確実に制御できず、予備発光の期間が共通露光期間Ｔ１から逸脱することがある。
【００２５】
例えば、リモート閃光装置２００ｒの予備発光のタイミングが共通露光期間Ｔ１から逸脱して、図４の期間Ｔ２に行われた場合を考える。期間Ｔ２は、第４ラインの読み出しタイミング４０１が行われている期間と一致している。期間Ｔ２と一致した第４ラインの読み出しタイミング４０１は、フレームＦに関する蓄積電荷読み出しであるものとする。
【００２６】
期間Ｔ２における予備発光により、第４ラインを除くラインでは電荷が蓄積される。第４ラインの各画素は、読み出しタイミング４０１であったため、露光されていない。予備発光により蓄積される電荷は、第５ライン〜最終ラインまでは、予備発光のあったフレームＦの読み出しタイミング４０１で読み出される。一方、第１ライン〜第３ラインまでは、予備発光のあったフレームＦの次フレームＦ＋１の読み出しタイミング４０１で読み出される。
【００２７】
図５（ａ）および（ｂ）は、フレームＦおよびフレームＦ＋１において撮像素子１０２の各ラインが露光した光を示す図である。図５（ａ）に示されるように、フレームＦにおいて撮像素子１０２の第１〜第４ラインから読み出された電荷は、外光により蓄積された電荷である。そして、フレームＦにおいて撮像素子１０２の第５〜第１０ラインから読み出された電荷は、期間Ｔ２の予備発光の反射光と外光により蓄積された電荷である。
【００２８】
一方、図５（ｂ）に示されるように、フレームＦ＋１において撮像素子１０２の第１〜第３ラインから読み出された電荷は、期間Ｔ２の予備発光の反射光と外光により蓄積された電荷である。そして、フレームＦ＋１において撮像素子１０２の第４〜第１０ラインから読み出された電荷は、外光により蓄積された電荷である。
【００２９】
従来の方法では、予備発光のあったフレームＦの読み出しタイミング４０１で撮像素子１０２から読み出された電荷に基づくアナログ電気信号に基づいて、リモート閃光装置２００ｒの本発光の発光量が算出される。そのため、蓄積電荷の読み出しが次フレームＦ＋１になってしまったラインの成分を考慮せずにリモート閃光装置２００ｒの本発光の発光量を算出することとなり、調光精度が低下することがあった。
【００３０】
本発明では、制御部１０５は、予備発光のあったフレームＦの読み出しタイミング４０１で撮像素子１０２から読み出された電荷に基づくアナログ電気信号と、次フレームＦ＋１の読み出しタイミング４０１で撮像素子１０２から読み出された電荷に基づくアナログ電気信号とを用いて、リモート閃光装置２００ｒの本発光量を算出する。蓄積電荷の読み出しが次フレームＦ＋１になってしまったラインの成分を考慮することで、予備発光の期間が共通露光期間Ｔ１から逸脱した場合であっても、高精度にリモート閃光装置２００ｒの本発光の発光量を算出することができる。
【００３１】
例えば、制御部１０５は、フレームＦのアナログ電気信号に基づくデジタル信号ＳＦと、フレームＦ＋１のアナログ電気信号に基づくデジタル信号ＳＦ＋１との差の絶対値｜ＳＦ−ＳＦ＋１｜を算出する。図５（ａ）および（ｂ）の例を見て明らかなように、｜ＳＦ−ＳＦ＋１｜を算出するということは、予備発光の反射光により蓄積された電荷に関する成分を算出することを意味する。そして、その｜ＳＦ−ＳＦ＋１｜を用いて、本発光の発光量を精度よく算出する。
【００３２】
なお、図５（ａ）および（ｂ）の第４ラインのように、フレームＦのアナログ電気信号とフレームＦ＋１のアナログ電気信号との両方に、外光により蓄積された電荷しか含まれていないラインについては、必要に応じて上下のラインの情報を用いて補間すればよい。また、予備発光から本発光までの間の時間を短くする観点から、補間処理を省略することにしてもよい。実際の撮像素子１０２のライン数は多く、１ライン分の情報が欠けた程度では本発光の発光量の算出の精度に大きな影響はない。
【００３３】
図６は、制御部１０５が本発光時のリモート閃光装置２００ｒの発光量を算出する調光処理に関するフローチャートである。図６の処理は、撮影者がレリーズスイッチなどの操作部材１０７を全押し操作を行ったときに実行が開始される処理である。
【００３４】
ステップＳ６００では、制御部１０５は、閃光装置接続部１０９を介して、マスタ閃光装置２００ｍへ予備発光の発光指令を送信する。マスタ閃光装置２００ｍの制御部２０２ｍは、発光部２０５ｍから発光指令に関する光信号をリモート閃光装置２００ｒへ送信する。
【００３５】
ステップＳ６０１では、制御部１０５は、画像処理回路１０３から出力される複数フレーム（例えば、８フレーム）のデジタル信号を取得する。
【００３６】
ステップＳ６０２では、制御部１０５は、予備発光が行われたタイミングを含むフレームのデジタル信号を、ステップＳ６０１で取得された複数フレームのデジタル信号の中から選択する。例えば、制御部１０５は、ステップＳ６０１で取得された複数フレームのデジタル信号の各々について各画素成分の総和をそれぞれ算出し、その総和が最大となるフレームＦＭＡＸのデジタル信号と、フレームＦＭＡＸの前後のフレームのデジタル信号のうち総和が大きいデジタル信号を選択する。デジタル信号の画素成分の総和は、撮像素子１０２の受光量と共に大きくなる。撮像素子１０２が外光に加えて予備発光の反射光をさらに受光したフレームでは、その総和が他よりも大きくなる。
【００３７】
ステップＳ６０３では、制御部１０５は、フレームＦＭＡＸのデジタル信号と、フレームＦＭＡＸの前後のフレームのデジタル信号のうち総和が大きかったデジタル信号との差の絶対値を画素ごとに算出する。
【００３８】
ステップＳ６０４では、制御部１０５は、ステップＳ６０３の算出結果に基づいて、本発光時のリモート閃光装置２００ｒの発光量を算出する。
【００３９】
以上で説明した実施の形態によれば、以下の作用効果が得られる。
カメラ１００は、撮影前にリモート閃光装置２００ｒを予備発光させて、撮影時にリモート閃光装置２００ｒを本発光させる。カメラ１００は、撮像素子１０２と、制御部１０５とを備える。撮像素子１０２は、被写体からの光を受光した複数の画素から蓄積電荷がローリングシャッタ方式で読み出されて、フレームごとにアナログ電気信号を出力する。制御部１０５は、リモート閃光装置２００ｒが予備発光した光が被写体により反射された反射光により蓄積された電荷が読み出される１または複数のフレームに撮像素子１０２が出力したアナログ電気信号に基づくデジタル信号に基づいて、リモート閃光装置２００ｒを本発光させるときの発光量を算出する。
予備発光による閃光装置の制御では、撮像素子の露光時間が短いほど外光の光量に対する予備発光の光量の割合が大きくなり制御の精度が向上する。本発明によれば、共通露光期間を大きくとって予備発光のタイミングのばらつきを吸収する必要がないため、結果として露光時間を短く抑えることができ、精度の向上に寄与する。
【００４０】
以上で説明した実施の形態は、以下のように変形して実施できる。
（変形例１）
上記の実施の形態では、カメラ１００の閃光装置接続部１０９にマスタ閃光装置２００ｍが接続されるものとした。しかし、カメラ１００に閃光装置を内蔵することにしてもよい。その場合、カメラ１００に内蔵された閃光装置がマスタ閃光装置２００ｍと同等の機能を備えることにしてもよい。
【００４１】
（変形例２）
上記の実施の形態では、リモート閃光装置２００ｒを予備発光させる場合について説明したが、マスタ閃光装置２００ｍのみを予備発光させることにしてもよいし、マスタ閃光装置２００ｍとリモート閃光装置２００ｒの両方を予備発光させることにしてもよい。マスタ閃光装置２００ｍを予備発光させる場合であっても、前述の調光処理は利用することができる。
【００４２】
（変形例３）
制御部１０５が本発光時のリモート閃光装置２００ｒの発光量を算出するために実行する調光処理は、図６に示されるものだけに限定しない。
例えば、図６のステップＳ６０２では、制御部１０５は、デジタル信号の各画素成分の総和に基づいて、予備発光が行われたタイミングを含むフレームのデジタル信号を選択したが、デジタル信号の各画素成分の総和以外のものに基づいて予備発光が行われたタイミングを含むデジタル信号を選択することにしてもよい。例えば、制御部１０５は、発光部２０５ｍから光信号を用いてリモート閃光装置２００ｒに向けて発光指令を送信したタイミングをマスタ閃光装置２００ｍから取得して、そのタイミングに基づいて予備発光が行われたタイミングを含むデジタル信号を選択することにしてもよい。
【００４３】
例えば、図６のステップＳ６０２では、制御部１０５は、フレームＦＭＡＸのデジタル信号と、フレームＦＭＡＸの前後のフレームのデジタル信号のうち総和が大きかったデジタル信号との差の絶対値を算出することにしたが、他の算出方法を用いてもよい。例えば、フレームＦＭＡＸのデジタル信号と、フレームＦＭＡＸの前後のフレームのデジタル信号のうち総和が大きかったデジタル信号との平均を算出することにしてもよい。
【００４４】
図７は、調光処理の一変形例に関するシーケンス図である。ステップＳ７０１では、カメラ１００がマスタ閃光装置２００ｍに向けて予備発光の発光指令を送信する。ステップＳ７０２では、カメラ１００は、複数フレームのデジタル信号の取得を開始する。
【００４５】
ステップＳ７０３では、マスタ閃光装置２００ｍは、リモート閃光装置２００ｒへ発光を指示するトリガとなる光信号（トリガ信号と称する）のダミーを発光する。マスタ閃光装置２００ｍの後述する本番のトリガ信号の発光と、リモート閃光装置２００ｒの予備発光とは略同時であり、予備発光の反射光を露光するフレームにおいてトリガ信号の反射光を露光する虞がある。本変形例では、トリガ信号のダミーを発光して、その反射光で蓄積される電荷を測定しておくことで、トリガ信号により蓄積された電荷分の影響を低減する。このダミー発光は、共通露光期間Ｔ１内に発光されるように同期制御が行われる。撮像素子１０２は、ダミー発光の反射光を受光して、電荷を蓄積する。蓄積された電荷に基づくアナログ電気信号は、画像処理回路１０３でデジタル信号に変換される。ステップＳ７０４では、カメラ１００のダミー発光の反射光による成分を含むデジタル信号を制御部１０５のＲＡＭ（不図示）に記憶する。
【００４６】
ステップＳ７０５では、マスタ閃光装置２００ｍは、リモート閃光装置２００ｒに対して、次のトリガ信号送信時に予備発光させるためのコマンドを、光通信を介して送信する。ステップＳ７０６では、リモート閃光装置２００ｒが、光通信部２０６ｒを介してコマンドを受信して、トリガ信号を受光したとき直ちに予備発光できる状態で待機する。ステップＳ７０７では、マスタ閃光装置２００ｍは、トリガ信号を発光する。ステップＳ７０８では、リモート閃光装置２００ｒは、トリガ信号を受光後、直ちに予備発光を行う。ステップＳ７０９では、マスタ閃光装置２００ｍは、トリガ信号を発光したタイミングをカメラ１００に通知する。
【００４７】
ステップＳ７１０では、カメラ１００は、通知されたタイミングを含むフレームの前後複数フレーム（例えば、８フレーム）のデジタル信号を制御部１０５のＲＡＭ（不図示）に記憶する。ステップＳ７１１では、カメラ１００は、ステップＳ７１０で制御部１０５のＲＡＭ（不図示）に記憶した複数フレームのデジタル信号の平均値を算出する。例えば、ステップＳ７１０で制御部１０５のＲＡＭ（不図示）に記憶した３フレーム分のデジタル信号を画素ごとに加算する。次に、その加算結果からステップＳ７０４で制御部１０５のＲＡＭ（不図示）に記憶したデジタル信号を減じて、ステップＳ７０７で発光したトリガ信号の反射光の成分を除外する。次に、減算結果を、３で除することにより、３フレーム分のデジタル信号の平均値を算出する。ステップＳ７１２では、カメラ１００は、ステップＳ７１１で算出した平均値に基づいて、本発光時の発光量を算出する。
【００４８】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００４９】
１００  カメラ
１０１  レンズ
１０２  撮像素子
１０３  画像処理回路
１０４  記録媒体
１０５  制御部
１０６  記憶部
１０７  操作部材
１０８  表示部
１０９  閃光装置接続部
２００ｍ  マスタ閃光装置
２００ｒ  リモート閃光装置
【図１】
2014059457.tif 000003
【図２】
2014059457.tif 000004
【図３】
2014059457.tif 000005
【図４】
2014059457.tif 000006
【図５】
2014059457.tif 000007
【図６】
2014059457.tif 000008
【図７】
2014059457.tif 000009